(57)【要約】【課題】ハーネス外装保護材を低コストで効率良く製造する。【解決手段】溶融した樹脂材４からシート６を形成する工程と、シート６を形成した直後に、余熱を利用してシート６に凹凸加工を施して凹凸シート１４を形成する工程と、凹凸シートを丸め加工して筒状のハーネス外装保護材１を形成する工程とを備えるハーネス外装保護材の製造方法を基本とする。凹凸シート１４をハーネス外装保護材Ａ〜Ｃの種類ごとに共通で使用し、凹凸シートの丸め加工工程２４で丸める径を変更して、種類の異なるハーネス外装保護材を形成する。【選択図】図１
2015082908.tif 000002
【特許請求の範囲】
【請求項１】
溶融した樹脂材からシートを形成する工程と、該シートを形成した直後に、余熱を利用して該シートに凹凸加工を施して凹凸シートを形成する工程と、該凹凸シートを丸め加工して筒状のハーネス外装保護材を形成する工程とを備えることを特徴とするハーネス外装保護材の製造方法。
【請求項２】
前記凹凸シートをハーネス外装保護材の種類ごとに共通で使用し、該凹凸シートの丸め加工工程で丸める径を変更して、種類の異なるハーネス外装保護材を形成することを特徴とする請求項１記載のハーネス外装保護材の製造方法。
【請求項３】
部品工場又はワイヤハーネス組立工場で前記シートと前記凹凸シートを形成し、該ワイヤハーネス組立工場で前記凹凸シートの検尺切断と前記ハーネス外装保護材の形成を行うことを特徴とする請求項１又は２記載のハーネス外装保護材の製造方法。
【発明の詳細な説明】
【技術分野】
【０００１】
本発明は、例えば自動車用等の組電線であるワイヤハーネスの外周側に装着する筒状のハーネス外装保護材を製造するためのハーネス外装保護材の製造方法に関するものである。
【背景技術】
【０００２】
ワイヤハーネスの外周側には合成樹脂製のコルゲートチューブや網状チューブやプロテクタや結束バンド付きの係止クリップ等といった各種樹脂部品が組み付けられる。これらコルゲートチューブや網状チューブやプロテクタはハーネス外装保護材として機能する。
【０００３】
例えば特許文献１には、コルゲートチューブの製造方法として、一対の対向する無端ベルトに複数の分割式の成形金型を固定し、押出成形機から熱可塑性樹脂材を成形金型内に環状に押し出しつつ、各成形金型の吸引孔で吸引し、無端ベルトの回転で成形金型を前進させて、コルゲートチューブを連続的に長形に形成し、冷却後に所要長さに切断することが記載されている。
【０００４】
また特許文献２には、ワイヤハーネスの製造方法として、無端ベルトを用いたベルトコンベアによって複数のワイヤハーネス布線ボートを所定の搬送経路に沿ってループ状に搬送させながら、ワイヤハーネス布線ボートの表面上の布線治具に沿って電線を布線し、複数本の電線で成る束電線の所定位置に合成樹脂製のプロテクタや樹脂チューブや係止用クリップ等といった部品を組み付け、束電線をテープ巻きで結束することが記載されている。
【０００５】
また、特許文献３には、ワイヤハーネス組立工場において、端子製造機と電線製造機と合成樹脂製のコネクタハウジングを成形するための成形機とを用いてサブワイヤハーネスを製造し、同じくワイヤハーネス組立工場の組立ラインにおいて、複数のサブワイヤハーネスを相互に組み付けると共に、組み付けられた複数のサブワイヤハーネスに樹脂成形品としてのプロテクタや係止用クリップを組み付けてワイヤハーネスを形成することが記載されている。
【０００６】
また、特許文献４には、複数の布線板をベルトコンベアの走行経路に沿ってループ状に搬送しながら、各布線板ごとに各作業者が電線を布線しつつ、各布線板の近傍に設置した射出成形機で合成樹脂製の係止用クリップやワイヤハーネス用チューブを成形して、複数本の電線で成る束電線に係止用クリップやチューブを組み付けることが記載されている。この束電線には係止用クリップやチューブ以外に合成樹脂製のプロテクタやゴム製のグロメット等が組み付けられてワイヤハーネスが構成される。
【先行技術文献】
【特許文献】
【０００７】
【特許文献１】特開２０１０−２６０２４１号公報（図４）
【特許文献２】特開２００２−３２９４２９号公報（図１）
【特許文献３】特開２００２−２４５８７６号公報（図１）
【特許文献４】特開２０１２−１２４０９０号公報（図１，図４）
【発明の概要】
【発明が解決しようとする課題】
【０００８】
しかしながら、上記従来の特許文献１に記載されたコルゲートチューブ（ハーネス外装保護材）の製造方法にあっては、サイズ（径）の異なる複数種のコルゲートチューブに対応して、筒状の樹脂チューブを連続して成形する押出し機の少なくともダイスの種類と、筒状の樹脂チューブを蛇腹状に成形する多数の分割式の成形金型の種類とを、コルゲートチューブの種類の数だけ用意する必要があり、これら設備にかかる費用が増大し、コルゲートチューブのコストもアップするという問題があった。
【０００９】
また、筒状の樹脂チューブを連続して成形する押出し機と、筒状の樹脂チューブを蛇腹状に成形する多数の分割式の成形金型と、各成形金型をループ状（無端状）に移動させる駆動ベルトと、蛇腹状の樹脂チューブの先端部を成形金型から前方に引き取る引き取り機と、蛇腹状の樹脂チューブを適宜長さに検尺切断する検尺切断機といった多くの装置を同時に必要として、コルゲートチューブ製造工程が肥大化し、部品工場内に大きな装置配置スペースを必要とするという問題があった。
【００１０】
また、上記従来の特許文献２に記載されたワイヤハーネスの製造方法にあっては、例えば図９にワイヤハーネス製造工程の一例を示す如く、ワイヤハーネス組立工場５５のワイヤハーネス組立ライン５８において、複数の布線板６１を作業開始位置Ｓから矢印の如く移動させつつ前半の配索工程５９で各布線板６１に電線を布線（配索）し、後半の部品組付工程６０で各布線板６１上の複数本の電線で成る束電線の外周側に樹脂部品として例えばハーネス外装保護材であるコルゲートチューブＡ〜Ｃを組み付ける際に、以下のような問題があった。
【００１１】
例えば各車種のワイヤハーネスＡ'，Ｂ'（図示せず）に共通で使用される使用頻度の多い汎用のコルゲートチューブＡ，Ｂと、特定の車種のワイヤハーネスＣ'（図示せず）に使用される使用頻度の少ない専用のコルゲートチューブＣとがある場合に、汎用のコルゲートチューブＡ，Ｂは多くの数量を必要とし、専用のコルゲートチューブＣは少ない数量であれば済むが、部品工場５１で専用のコルゲートチューブＣを汎用のコルゲートチューブＡ，Ｂと同じような方法で生産し、同じように梱包し、同じようにワイヤハーネス組立工場５５に輸送し（符号５４参照）、ワイヤハーネス組立工場５５において同じように部品受入５６や部品在庫５７として管理しなければならないために、ワイヤハーネスＡ'〜Ｃ'の生産コストが割高になるという問題があった。
【００１２】
すなわち、汎用のコルゲートチューブＡ，Ｂと専用のコルゲートチューブＣとを部品工場５１において押出し及び真空（圧空）成形工程５２で生産するために、少量生産の専用のコルゲートチューブＣにおいても、成形用の高価な金型を必要とし、設備や金型償却費が高くついて、部品コストが高価になっていた。また、汎用のコルゲートチューブＡ，Ｂと専用のコルゲートチューブＣとを部品工場５１において別々に梱包するために（符号５３の工程）、専用のコルゲートチューブＣにおいても梱包費（物流コスト）が発生していた。
【００１３】
本発明は、上記した点に鑑み、ハーネス外装保護材を低コストで効率良く製造することができ、それに加えて、汎用と専用の各ハーネス外装保護材の使用に起因する製造コストの増加を抑止することができ、さらに、部品製造工場内におけるハーネス外装保護材の製造工程を簡素化、省スペース化することができるハーネス外装保護材の製造方法を提供することを目的とする。
【課題を解決するための手段】
【００１４】
上記目的を達成するために、本発明の請求項１に係るハーネス外装保護材の製造方法は、溶融した樹脂材からシートを形成する工程と、該シートを形成した直後に、余熱を利用して該シートに凹凸加工を施して凹凸シートを形成する工程と、該凹凸シートを丸め加工して筒状のハーネス外装保護材を形成する工程とを備えることを特徴とする。
【００１５】
上記構成により、溶融した樹脂材がローラで伸延されて平坦なシートが形成され、シートに凹凸加工が施されて凹凸シートが形成され、凹凸シートが丸め加工されて表面（裏面も同じく）凹凸形状の筒状のハーネス外装保護材が形成される。樹脂材を溶融した際の余熱でシートが軟化した状態で、シートに凹凸がスムーズ且つ確実に形成される。「筒状」は断面円形の他に断面長円形や断面略矩形状を含むものである。表面凹凸形状（略蛇腹形状）のハーネス外装保護材は屈曲性を有する。
【００１６】
請求項２に係るハーネス外装保護材の製造方法は、請求項１記載のハーネス外装保護材の製造方法において、前記凹凸シートをハーネス外装保護材の種類ごとに共通で使用し、該凹凸シートの丸め加工工程で丸める径を変更して、種類の異なるハーネス外装保護材を形成することを特徴とする。
【００１７】
上記構成により、径の異なる複数種のハーネス外装保護材が汎用・専用の区別なく容易に形成される。ハーネス外装保護材の長さは、シート又はハーネス外装保護材の検尺切断加工で適宜変更可能である。
【００１８】
請求項３に係るハーネス外装保護材の製造方法は、請求項１又は２記載のハーネス外装保護材の製造方法において、部品工場又はワイヤハーネス組立工場で前記シートと前記凹凸シートを形成し、該ワイヤハーネス組立工場で前記凹凸シートの検尺切断と前記ハーネス外装保護材の形成を行うことを特徴とする。
【００１９】
上記構成により、部品工場でシートの形成とシートへの凹凸加工とが行われ、部品工場からワイヤハーネス組立工場に凹凸シートが搬送され、ワイヤハーネス組立工場で例えば組み立てるワイヤハーネスの種類に対応してシートの丸め加工がタイムリーに行われる。
【発明の効果】
【００２０】
請求項１記載の発明によれば、樹脂製のシートを凹凸加工して丸め加工するという簡単な方法で、従来のコルゲートチューブに類似するハーネス外装保護材を低コストで効率良く製造することができる。また、シートに白化を生じることなく凹凸をスムーズ且つ確実に形成することができる。また、凹凸加工時のシートの再加熱を不要として、設備を簡素化、省スペース化することができる。
【００２１】
請求項２記載の発明によれば、樹脂製のシートを共通使用することで、種類の異なるハーネス外装保護材を低コストで効率良く製造することができると共に、汎用と専用の各ハーネス外装保護材の使用に起因する製造コストの増加を抑止することができる。
【００２２】
請求項３記載の発明によれば、部品製造工場内におけるハーネス外装保護材の製造工程を簡素化、省スペース化することができると共に、ワイヤハーネス組立工場でワイヤハーネスの種類に応じてハーネス外装保護材をタイムリーに生産することができる。
【図面の簡単な説明】
【００２３】
【図１】（ａ）〜（ｃ）は、本発明のハーネス外装保護材の製造方法の一実施形態を工程順に示す説明図（（ａ）（ｃ）は側面図、（ｂ）は斜視図）である。
【図２】ワイヤハーネス組付工程の一形態を示す斜視図である。
【図３】図１（ａ）の工程で使用する凹凸加工機の一形態を正面側から見て示す斜視図である。
【図４】図１（ｃ）の工程で形成される凹凸シートの一形態を上側から見て示す斜視図である。
【図５】図１（ｃ）の工程で使用するシート丸め加工機の一形態を示す、（ａ）は斜視図、（ｂ）は側面図である。
【図６】完成したハーネス外装保護材の一形態を示す斜視図である。
【図７】（ａ）（ｂ）は、ハーネス外装保護材の製造方法の他の形態の要部を工程順に示す説明図（側面図）である。
【図８】ハーネス外装保護材の製造方法の一適用例を示す説明図（平面図）である。
【図９】従来のハーネス外装保護材の製造方法の一適用例を示す説明図（平面図）である。
【発明を実施するための形態】
【００２４】
図１〜図６は、本発明におけるハーネス外装保護材の製造方法の一実施形態を示すものである。
【００２５】
図１（ａ）の如く、ハーネス外装保護材１（図６）の製造方法は、先ず、押出し機１で熱可塑性樹脂材を溶融し、押出し機２の下向きのノズル３から溶融樹脂材４を前後一対の金属製の伸延ローラ５の間に押し出し、一対の伸延ローラ５で平面的に延ばして平坦なシート６を連続して形成する。平坦なシート６は押出し時の余熱を持った状態で隣接の送りローラ７を経て前方のエンボス（蛇腹）加工機８すなわちエンボス加工工程に送られる。
【００２６】
エンボス加工機８は、前後一対の水平なガイド板９と、前後一対のガイド板９の間において上下に配置された金属製の一対のエンボス加工ローラ１０，１１と、一対のエンボス加工ローラ１０，１１を矢印の如く相反する方向に（上側のローラ１０は反時計回りに、下側のローラ１１は時計回りに）回転させる不図示の駆動部とを備えている。
【００２７】
平坦なシート６は押出し時の余熱で軟化しているので、エンボス加工機８で平坦なシート６に複数（多数）の凹凸をスムーズ且つ容易且つ確実に形成することができる。余熱を利用してエンボス（凹凸）加工をシート６の成形と連続して行うことができる。
【００２８】
図３に、上下一対のエンボス加工ローラ１０，１１の一例を示す如く、一方（下側）のローラ１１は、円柱状のローラ軸１１ａの外周側に、多数の菱形状の凸部１２を斜め方向に複数列に配列して成る加工部１１ｂを有し、他方（上側）のローラ１０は、円柱状のローラ軸１０ａの外周側に、多数の菱形枠状の凹部１３を斜め方向に複数列に配列して成る加工部１０ｂを有している。加工部１０ｂ，１１ｂに菱形状の凹凸１２，１３を設けたことで、菱形状の凹凸１２，１３の対角線方向（ローラ１０，１１の回転方向）に凹凸シート１４を加工部１０ｂ，１１ｂからスムーズに剥離（離脱）することができる。
【００２９】
エンボス加工された凹凸シート１４は、図４に検尺切断後の状態を示す如く（検尺切断については後述する）、下側のローラ１１（図３）の多数の凸部１２で圧縮成形された菱形状の多数の凹部１５と、上側のローラ１０（図３）の多数の凹部１３で圧縮成形された菱形枠状の多数の凸部１６とを有して、屈曲可能に形成されている。
【００３０】
図１（ａ）の工程でエンボス加工された凹凸シート１４は上下一対のガイドローラ１７の間に通され、上下のガイドローラ１７あるいはガイドローラ１７とエンボス加工機８との間に並列に配置された不図示の複数（本例で二つ）のカッタでシート幅方向に複数本（本例で三本）に分割（スリット加工）されて、各巻取機１８でロール状に巻き取られて、各凹凸シートロール１９を形成する。図１（ａ）の樹脂押出し２、ローラ加工５、エンボス加工８、シートロール巻き１９の全ての工程を符号２１で示す。
【００３１】
図１（ｂ）の如く、各凹凸シートロール１９はまとめて箱２０に入れられて、次工程の図１（ｃ）の検尺切断・シート丸め工程２８に送られる。検尺切断は、検尺切断機において複数の凹凸シートロール１９を左右並列に配置し、シートロール１９から加工台２２の上に凹凸シートを平面的に繰り出して所要長さにカッタ２３で切断することで行われる。
【００３２】
図４に示す如く、凹凸シート１４は長方形状に切断され、凹凸シート１４の前後の短辺部１４ａが菱形枠状の各凸部１６の長い対角線Ｌ１の延長方向に沿って位置し、凹凸シート１４の左右（幅方向）の長辺部１４ｂが各凸部１６の短い対角線Ｌ２の延長方向に沿って位置している。各凸部１６の四辺の長さは同じであり、対向する各二辺はそれぞれ平行に位置して、各凸部１６は網目状に交差して続いている。
【００３３】
検尺切断された凹凸シート１４は図１（ｃ）のシート丸め加工機２４で幅方向に円筒状に丸められて、図６のハーネス保護チューブ（ハーネス外装保護材）１となる。本例のハーネス保護チューブ１においては菱形状の各凸部１６の長い対角線Ｌ１がチューブ周方向に沿って位置し、短い対角線Ｌ２がチューブ軸方向に沿って位置している。この凸部（凹凸）形状によってハーネス保護チューブ１が軸方向とは交差する方向に曲がり易くなっている。屈曲性は例えば既存のコルゲートチューブと同程度である。
【００３４】
屈曲が不要な場合はシート６（図１）に凹凸１５，１６を設けないで平坦なシート６を丸め加工してパイプ状のハーネス保護チューブとする。一本のハーネス保護チューブを部分的に（例えば長手方向中央部のみ、あるいは前後二カ所を）凹凸形状（屈曲可能）とし、その他の部分は凹凸のない円滑形状（屈曲不能）とすることも可能である。
【００３５】
図５（ａ）（ｂ）にシート丸め加工の一例を示す如く、切断された凹凸シート１４を、予め加熱された専用の丸めブロック２５内にスリット状の入口２６ａから挿入することにより、入口２６ａに続く断面円形状のガイド壁２６に沿って凹凸シート１４を徐々にシート幅方向にパイプ状に丸めていく。
【００３６】
ヒータ等の加熱により凹凸シート１４が軟化して丸め易くなり、丸め加工後にハーネス保護チューブ１を自然冷却等で冷却することで、ハーネス保護チューブ１が所定の径に維持される。ハーネス保護チューブ１の径（外径と内径）はシート丸め加工機（丸め加工工程）２４の例えば湾曲状のガイド壁２６の内径を変えることで適宜設定可能である。凹凸シート１４を丸める回数（巻き数）は一周ないしそれ以上である。
【００３７】
図４の例ではシート６（図１）に斜めに菱形状に交差する複数の線状の凸部１６を形成し、その凹凸シート１４を長辺１４ｂ側から丸めて（巻いて）、図６の如く表面（裏面も同じ）に斜めに菱形状に交差する複数の線状の凸部１６を有するハーネス保護チューブ１を形成したが、例えば図４においてシート６（図１）に菱形ではなく正方形状ないし長方形状に交差する複数の線状の凸部（１６）を形成し、その凹凸シート（１４）を丸めて、正方形状ないし長方形状に交差する複数の線状の凸部（１６）を有するハーネス保護チューブ（１）を形成することも可能である。この凹凸形状は既存のコルゲートチューブ（図示せず）の蛇腹形状に近いものとなる。
【００３８】
図１（ｃ）において、丸め加工されたハーネス保護チューブ１は下方の容器２７に落下して収容される。作業者は例えば容器２７ごとハーネス保護チューブ１を図２のワイヤハーネス組付工程３８の不図示の部品置き場に運ぶ。
【００３９】
ワイヤハーネス組付工程３８で組付作業者２９は布線台３０の上のワイヤハーネス（複数本の電線）３１の所要部にハーネス保護チューブ１を組み付ける。ハーネス保護チューブ１の組付は例えばハーネス保護チューブ１の不図示の巻き終わり部（スリット）を弾性的に開いてその隙間からワイヤハーネス３１をハーネス保護チューブ１内に挿通させる。隙間は弾性的に閉じる。ハーネス保護チューブ１の端部開口１ａ（図６）からワイヤハーネス３１の分岐線を挿通させることも可能である。
【００４０】
図１（ａ）の樹脂押出し工程２→シート成形工程５→エンボス加工工程８とスリット加工（分割）工程（１７）と、図１（ｂ）のシートロール１９の箱詰め工程２０とは部品工場で行い、図１（ｃ）の検尺切断工程２３→シート丸め加工工程２４は図２のワイヤハーネス組付工程３８のあるワイヤハーネス組立工場で行う。あるいは、図１（ａ）〜（ｃ）の全ての工程をワイヤハーネス組立工場で行うことも可能である（この場合図１（ｂ）の箱詰め工程２０は不要となることもある）。
【００４１】
上記図１においては、シート押出加工（２）の余熱を利用してシート６に凹凸１５，１６を形成する例で説明したが、例えば図７の例に示す如く、図７（ａ）の押出し機２と前後一対のローラ５でシート６を成形した後、スリット加工機３２でシート６を分割してシートロール３３に巻き取り、次いで、図１（ｂ）と同様にシートロール３３を梱包して、図７（ｂ）のエンボス加工機８に搬送してエンボス（蛇腹）加工を行うことも可能である。
【００４２】
但し、シート押出加工後の余熱を利用しないので、エンボス加工前にシート６を予備加熱しなければならず、工程が複雑化し、作業が面倒であり、エンボス加工時にシート６が白化する懸念もある。
【００４３】
図７（ｂ）の装置は、エンボス加工機８とその前方（シート送り方向）のシート丸め加工機２４とその前方の検尺切断機（カッタ３４を示す）とを有する。丸め加工された凹凸シート１’は所要長さにカッタ３４で切断されて下方の容器２７にハーネス保護チューブ１として収容される。図２と同様にワイヤハーネス組付工程にハーネス保護チューブ１が運ばれて、組付作業者２９が布線台３０上のワイヤハーネス３１にハーネス保護チューブ１を装着する。
【００４４】
図７（ａ）の押出し機２とローラ加工５によるシート６の成形工程と、スリット加工工程３２とシートロール工程３３及び不図示（図１（ｂ））の梱包工程は部品工場に設置され、図７（ｂ）のシートエンボス加工工程８とシート丸め加工工程２４と検尺切断工程３４はワイヤハーネス組立工場に設置される。あるいは上記図７（ａ）〜図７（ｂ）の全ての工程がワイヤハーネス組立工場に設置される。
【００４５】
図８は、図１〜図２の工程を、使用頻度の多い汎用の二種類のハーネス保護チューブＡ，Ｂと使用頻度の少ない専用のハーネス保護チューブＣとの製造に適用した実施形態を示すものである。
【００４６】
先ず、原材料である熱可塑性樹脂材３５を部品工場３６に搬入し、部品工場３６において、三種類のハーネス保護チューブＡ〜Ｃに対応して、図１（ａ）の押出し機２とローラ５による共通の樹脂シート６の形成と、エンボス加工機８によるシート６への共通のエンボス加工とを行い、図１（ｂ）の工程で共通の凹凸シートロール１９を梱包する（梱包工程を符号２０で示す）。ハーネス保護チューブＡ〜Ｃは長さや径が異なり、樹脂材料３５やエンボス１５，１６（図４）の大きさ形状は同一（共通）である。
【００４７】
共通の凹凸シート１４はワイヤハーネス組立工場３７に輸送されて、図１（ｃ）の凹凸シート１４の検尺切断工程２３で、三種類のハーネス保護チューブＡ〜Ｃの大きさに応じた長さに凹凸シート１４を切断し、図１（ｃ）のシート丸め加工工程２４で、ハーネス保護チューブＡ〜Ｃの種類ごとに、凹凸シート１４をハーネス保護チューブＡ〜Ｃの径に応じた径（内径外径）に円筒状に丸め加工する。
【００４８】
完成したハーネス保護チューブＡ〜Ｃは種類ごとに、隣接のワイヤハーネス組付工程３８の部品置き場３９〜４１に配置し、ワイヤハーネス組付工程３８に適宜供給する。凹凸シート１４の検尺切断２３と丸め加工２４は、ワイヤハーネス組付工程３８で組み立てるワイヤハーネス３１の種類に応じてタイムリーに行うことができる。ワイヤハーネス組付工程３８の一例については図９の従来のワイヤハーネス組立ライン５８を参照のこと。
【００４９】
図８の形態例によれば、前記特許文献１に記載された、サイズ（径）の異なる複数種のハーネス保護チューブＡ〜Ｃに対応した、筒状の樹脂チューブを連続して成形する押出し機や、筒状の樹脂チューブを蛇腹状に成形する多数の分割式の成形金型が不要となるので、ハーネス保護チューブＡ〜Ｃの製造装置２１，２８がコンパクト化されて、部品工場３６内の装置配置スペースが省スペース化されると共に、ハーネス保護チューブＡ〜Ｃとその製造装置２１とが低コスト化される。
【００５０】
また、図９の従来例に記載された汎用と専用の各ハーネス保護チューブＡ〜Ｃを部品工場３６において押出し及び真空（圧空）成形工程５２で生産する必要がないので、専用のハーネス保護チューブＣに起因する設備コストや部品コストが削減されると共に、ハーネス保護チューブＡ〜Ｃを部品工場３６で別々に梱包する必要がないので、専用のハーネス保護チューブＣに起因する梱包費（物流コスト）が削減される。
【００５１】
また、ワイヤハーネス組立工場３７において、ワイヤハーネス組付工程３８の進捗状況に応じてタイムリーに凹凸シート１４の検尺切断２３及びシート丸め加工２４を行って所望のハーネス保護チューブＡ〜Ｃを得る（供給する）ことができるので、図９の従来例に記載された、ワイヤハーネス組立工場５５における部品在庫５７の管理が不要となって、ワイヤハーネスＡ〜Ｃの生産コストが削減される。
【００５２】
なお、図１，図７の実施形態においては、溶融した樹脂材４をローラ５の間で伸延してシート６を形成したが、例えば溶融した樹脂材４を不図示の成形金型内に充填してシート６を形成することも可能である。
【００５３】
また、本発明は、ハーネス外装保護材の製造方法として以外に、ハーネス外装保護材の製造装置や、ハーネス外装保護材自体としても有効なものである。
【産業上の利用可能性】
【００５４】
本発明のハーネス外装保護材の製造方法は、ハーネス外装保護材を低コストで効率良く製造し、加えて、汎用と専用の各ハーネス外装保護材の使用に起因する製造コストの増加を抑止し、さらに、部品製造工場内におけるハーネス外装保護材の製造工程を簡素化、省スペース化するために利用することができる。
【符号の説明】
【００５５】
１，Ａ〜Ｃ  ハーネス保護チューブ（ハーネス外装保護材）
４          樹脂材
６          シート
８          エンボス加工工程（エンボス加工機）
１０，１１  ローラ
１２        ローラの凸部
１３        ローラの凹部
１４        凹凸シート
１６        シートの凸部
２３        検尺切断工程（カッタ）
２４        丸め加工工程
３６        部品工場
３７        ワイヤハーネス組立工場
【図１】
2015082908.tif 000003
【図２】
2015082908.tif 000004
【図３】
2015082908.tif 000005
【図４】
2015082908.tif 000006
【図５】
2015082908.tif 000007
【図６】
2015082908.tif 000008
【図７】
2015082908.tif 000009
【図８】
2015082908.tif 000010
【図９】
2015082908.tif 000011